(57)【要約】【課題】冷媒配管および水配管が室外機本体の外部を引き回される室外機では、冷媒配管と外気との温度差が大きいため、冷媒配管からの熱損失が大きい。【解決手段】水ユニット部３からヒートポンプ部２の外部に引き回されるとともに、ヒートポンプ部２に接続される冷媒配管４１−４３と、水ユニット部３からヒートポンプ部２の外部に引き回されるとともに、温水利用装置からの連絡配管が接続される水配管接続部２０，２１まで延在する水配管５１−５４とを有する。そして、冷媒配管４１−４３および水配管５１−５４は、ヒートポンプ部２の外部において並走する並走部分を有しており、並走部分において、冷媒配管４１−４３が水配管５１−５４よりもヒートポンプ部２側に配置される。【選択図】図４
2016085004.tif 000002
【特許請求の範囲】
【請求項１】
圧縮機および空気熱交換器を収容する室外機本体と、
冷媒と水との間で熱交換を行う水熱交換器を収容する熱交換器ユニットと、
前記熱交換器ユニットから前記室外機本体の外部に引き回されるとともに、前記室外機本体に接続される冷媒配管と、
前記熱交換器ユニットから前記室外機本体の外部に引き回されるとともに、温水利用装置からの連絡配管が接続される水配管接続部まで延在する水配管とを備え、
前記冷媒配管および前記水配管は、前記室外機本体の外部において並走する並走部分を有しており、
前記並走部分において、前記冷媒配管が前記水配管よりも前記室外機本体側に配置されることを特徴とする室外機。
【請求項２】
前記並走部分において、前記水配管の径が前記冷媒配管の径よりも大きいことを特徴とする請求項１に記載の室外機。
【請求項３】
前記熱交換器ユニットから前記室外機本体の外部に引き回された冷媒配管が接続される冷媒配管接続部を有しており、
前記水配管の全て、および、前記熱交換器ユニットと前記冷媒配管接続部との間の冷媒配管の全てが、前記室外機本体の外部にあることを特徴とする請求項１または２に記載の室外機。
【請求項４】
前記熱交換器ユニットが、前記室外機本体の上部に取り付けられており、
前記冷媒配管および前記水配管が、前記室外機本体の外部において上下方向に沿って並走していることを特徴とする請求項１−３のいずれかに記載の室外機。
【発明の詳細な説明】
【技術分野】
【０００１】
本発明は、冷媒と水との間で熱交換を行う水熱交換器を備える室外機に関する。
【背景技術】
【０００２】
従来の室外機（ヒートポンプ式温水装置）として、冷媒が循環される冷凍サイクルと、床暖房装置に温水を循環させるための床暖房回路と、給湯装置に温水を供給するための給湯回路とを備えるものがある。冷凍サイクルは、冷媒と水との間で熱交換を行う水熱交換器（熱交換器ユニット）と、冷媒と室外空気との間で熱交換を行う室外空気熱交換器と、圧縮機とを備えている。この室外機では、水熱交換器において冷媒との熱交換によって加熱された温水を床暖房パネルに循環させることで床暖房運転を行うとともに、水熱交換器において冷媒との熱交換によって加熱された温水を貯湯タンクに貯留することによって給湯運転を行う。
【先行技術文献】
【特許文献】
【０００３】
【特許文献１】特開２０１０−１４３５２号公報
【発明の概要】
【発明が解決しようとする課題】
【０００４】
ところで、上記のような室外機では、水熱交換器を収容する熱交換器ユニットが、圧縮機および室外空気熱交換器を収容する室外機本体に対して外付けされるとともに、熱交換器ユニットから延びた冷媒配管および水配管が室外機本体の外部を引き回されることが考えられる。ここで、冷媒配管および水配管の温度は、水配管が例えば約４７℃であるのに対して、冷媒配管は例えば約１００℃と非常に高いことが一般的である。したがって、上記のように冷媒配管および水配管が室外機本体の外部を引き回される室外機では、冷媒配管と外気との温度差が大きいため、冷媒配管からの熱損失が大きいという問題がある。
【０００５】
そこで、本発明の目的は、冷媒配管が室外機本体の外部を引き回されるものにおいて、冷媒配管からの熱損失を低減できる室外機を提供することである。
【０００６】
第１の発明にかかる室外機は、圧縮機および空気熱交換器を収容する室外機本体と、冷媒と水との間で熱交換を行う熱交換器ユニットと、前記熱交換器ユニットから前記室外機本体の外部に引き回されるとともに、前記室外機本体に接続される冷媒配管と、前記熱交換器ユニットから前記室外機本体の外部に引き回されるとともに、温水利用装置からの連絡配管が接続される水配管接続部まで延在する水配管とを備え、前記冷媒配管および前記水配管は、前記室外機本体の外部において並走する並走部分を有しており、前記並走部分において、前記冷媒配管が前記水配管よりも前記室外機本体側に配置されることを特徴とする。
【０００７】
この室外機では、冷媒配管と当該冷媒配管よりも室外機本体の外側の外気との間に水配管が配置されるので、冷媒配管と当該冷媒配管よりも室外機本体の外側の外気との間で熱交換がされにくくなる。したがって、冷媒配管からの熱損失を低減できる。
【０００８】
第２の発明にかかる室外機は、第１の発明にかかる室外機において、前記並走部分において、前記水配管の径が前記冷媒配管の径よりも大きいことを特徴とする。
【０００９】
この室外機では、冷媒配管と当該冷媒配管よりも室外機本体の外側の外気との間でより熱交換されにくくなるので、冷媒配管からの熱損失をより低減しやすい。
【００１０】
第３の発明にかかる室外機は、第１または第２の発明にかかる室外機において、前記熱交換器ユニットから前記室外機本体の外部に引き回された冷媒配管が接続される冷媒配管接続部を有しており、前記水配管の全て、および、前記熱交換器ユニットと前記冷媒配管接続部との間の冷媒配管の全てが、前記室外機本体の外部にあることを特徴とする。
【００１１】
この室外機では、熱交換器ユニットを室外機本体から取り外す際に、熱交換器ユニットから延びた冷媒配管および水配管をそれぞれ冷媒配管接続部および水配管接続部から取り外せばよく、室外機本体の内部を開けて内部の配管を取り外す必要がないので、熱交換器ユニットを室外機本体から簡単に取り外すことができる。したがって、熱交換器ユニットのメンテナンス性が向上する。
【００１２】
第４の発明にかかる室外機は、第１−第３のいずれかの発明にかかる室外機において、前記熱交換器ユニットが、前記室外機本体の上部に取り付けられており、前記冷媒配管および前記水配管が、前記室外機本体の外部において上下方向に沿って並走していることを特徴とする。
【００１３】
この室外機では、冷媒配管および水配管が、室外機本体の外部において上下方向に沿って並走しているので、並走部分を長くすることができる。
【発明の効果】
【００１４】
以上の説明に述べたように、本発明によれば、以下の効果が得られる。
【００１５】
第１の発明では、冷媒配管と当該冷媒配管よりも室外機本体の外側の外気との間に水配管が配置されるので、冷媒配管と当該冷媒配管よりも室外機本体の外側の外気との間で熱交換がされにくくなる。したがって、冷媒配管からの熱損失を低減できる。
【００１６】
第２の発明では、冷媒配管と当該冷媒配管よりも室外機本体の外側の外気との間でより熱交換されにくくなるので、冷媒配管からの熱損失をより低減しやすい。
【００１７】
第３の発明では、熱交換器ユニットを室外機本体から取り外す際に、熱交換器ユニットから延びた冷媒配管および水配管をそれぞれ冷媒配管接続部および水配管接続部から取り外せばよく、室外機本体の内部を開けて内部の配管を取り外す必要がないので、熱交換器ユニットを室外機本体から簡単に取り外すことができる。したがって、熱交換器ユニットのメンテナンス性が向上する。
【００１８】
第４の発明では、冷媒配管および水配管が、室外機本体の外部において上下方向に沿って並走しているので、並走部分を長くすることができる。
【図面の簡単な説明】
【００１９】
【図１】本発明の実施形態にかかる温調システムを示す構成図である。
【図２】ヒートポンプ室外機の正面図である。
【図３】（ａ）は、本発明の実施形態にかかるヒートポンプ室外機を正面から見たときの内部構成を説明する図であり、（ｂ）は、ヒートポンプ室外機を上面から見たときの内部構成を説明する図であり、（ｃ）は、ヒートポンプ室外機の右側面図である。
【図４】（ａ）は、本発明の実施形態にかかるヒートポンプ室外機の一部拡大正面図であり、（ｂ）は、ヒートポンプ室外機の拡大右側面図であり、（ｃ）は、（ｂ）から水配管を取り除いたときの図である。
【図５】（ａ）は、本発明の変形例にかかるヒートポンプ室外機の一部拡大正面図であり、（ｂ）は、ヒートポンプ室外機の拡大右側面図であり、（ｃ）は、（ｂ）から水配管を取り除いたときの図である。
【発明を実施するための形態】
【００２０】
以下、図面を参照しつつ、本発明の実施形態について説明する。
【００２１】
図１は、発明の実施形態にかかる温調システムの構成図を示している。図１に示すように、この温調システムは、ヒートポンプ室外機１（以下、室外機１という）と、室外機１に接続された利用側装置４（温水利用装置）とを備える。
【００２２】
室外機１は、図１および図２に示すように、ヒートポンプ部２（室外機本体）と、ヒートポンプ部２の上部に取り付けられた水ユニット部３（熱交換器ユニット）とを有している。この室外機１は、例えば空気調和機などに用いられる室外機の上部に水ユニット部３が外付けされたものである。
【００２３】
ヒートポンプ部２には、圧縮機１０と、室外空気熱交換器１１（空気熱交換器）と、２つの膨張弁１２Ａ，１２Ｂと、室外ファン１３とが収容されている。水ユニット部３には、給湯用水熱交換器１６Ａと、暖房用水熱交換器１６Ｂと、ポンプ１７とが収容されている。室外機１の内部において、冷媒回路（ヒートポンプ）が構成されており、この冷媒回路は、圧縮機１０と、室外空気熱交換器１１と、膨張弁１２Ａ，１２Ｂと、給湯用水熱交換器１６Ａと、暖房用水熱交換器１６Ｂとが接続されて構成されている。冷媒回路は、圧縮機１０の吐出側に配置された分岐部１８において分岐し、室外空気熱交換器１１の他端側に配置された合流部１９において合流する２つの分岐路を有している。この２つの分岐路は、給湯用水熱交換器１６Ａおよび膨張弁１２Ａが配置された分岐路と、暖房用水熱交換器１６Ｂおよび膨張弁１２Ｂが配置された分岐路である。ポンプ１７は、給湯タンク５から流出した給湯用温水を給湯用水熱交換器１６Ａに供給し、給湯タンク５に供給される給湯用温水を循環させるものである。
【００２４】
圧縮機１０の吐出側には、給湯用水熱交換器１６Ａの冷媒流入口と、暖房用水熱交換器１６Ｂの冷媒流入口とがそれぞれ接続されている。圧縮機１０の吸入側には、室外空気熱交換器１１の一端が接続され、室外空気熱交換器１１の他端には、膨張弁１２Ａ，１２Ｂの一端がそれぞれ接続されている。膨張弁１２Ａの他端と給湯用水熱交換器１６Ａの冷媒流出口とが接続されるとともに、膨張弁１２Ｂの他端と暖房用熱交換器の冷媒流出口とが接続されている。したがって、給湯用水熱交換器１６Ａの冷媒流入口には、圧縮機１０の吐出側の分岐部１８が接続され、給湯用水熱交換器１６Ａの冷媒流出口には、膨張弁１２Ａが接続されている。また、暖房用水熱交換器１６Ｂの冷媒流入口には、圧縮機１０の吐出側の分岐部１８が接続され、暖房用水熱交換器１６Ｂの冷媒流出口には、膨張弁１２Ｂが接続されている。
【００２５】
ヒートポンプ部２は、３つの冷媒配管接続部２２を有している。冷媒配管接続部２２は、圧縮機１０の吐出口と分岐部１８との間に接続された第１接続部２２ａと、給湯用水熱交換器１６Ａと膨張弁１２Ａとの間に接続された第２接続部２２ｂと、暖房用水熱交換器１６Ｂと膨張弁１２Ｂとの間に接続された第３接続部２２ｃとを有している。第１接続部２２ａ−第３接続部２２ｃは、例えば閉鎖弁である。
【００２６】
また、水ユニット部３は、３つの継手２３ａ−２３ｃ（接続部）を有している。第１継手２３ａは、第１接続部２２ａと分岐部１８との間に接続されており、第２継手２３ｂは、給湯用水熱交換器１６Ａと第２接続部２２ｂとの間に接続されており、第３継手２３ｃは、暖房用水熱交換器１６Ｂと第３接続部２２ｃとの間に接続されている。第１接続部２２ａと第１継手２３ａとの間の冷媒配管４１、第２接続部２２ｂと第２継手２３ｂとの間の冷媒配管４２、および第３接続部２２ｃと第３継手２３ｃとの間の冷媒配管４３が、水ユニット部３（熱交換器ユニット）から外側に引き回されるとともに、ヒートポンプ部２（室外機本体）に接続される冷媒配管である。
【００２７】
室外機１の外部には、給湯タンク５からの連絡配管５ａ，５ｂが接続される給湯用水配管接続部２０と、床暖房パネル７からの連絡配管７ａ，７ｂが接続される暖房用水配管接続部２１とが配置されている。給湯用水配管接続部２０は、往き接続部２０ａと、戻り接続部２０ｂとを有しており、暖房用水配管接続部２１は、往き接続部２１ａと、戻り接続部２１ｂとを有している。これらの接続部は、例えば閉鎖弁である。給湯用水配管接続部２０の往き接続部２０ａは、給湯用水熱交換器１６Ａの水流出口に接続されている。給湯用水配管接続部２０の戻り接続部２０ｂは、給湯用水熱交換器１６Ａの水流入口に接続されている。また、暖房用水配管接続部２１の往き接続部２１ａは、暖房用水熱交換器１６Ｂの水流出口に接続されている。暖房用水配管接続部２１の戻り接続部２１ｂは、暖房用水熱交換器１６Ｂの水流入口に接続されている。
【００２８】
したがって、給湯用水熱交換器１６Ａでは、圧縮機１０の吐出側の分岐部１８から流入した冷媒と、給湯用水配管接続部２０の戻り接続部２０ｂから流入した給湯用温水との間で熱交換されることによって、給湯用温水が加熱されて、その加熱された給湯用温水が、給湯用水配管接続部２０の往き接続部２０ａに向かって流出する。また、暖房用水熱交換器１６Ｂでは、圧縮機１０の吐出側の分岐部１８から流入した冷媒と、暖房用水配管接続部２１の戻り接続部２１ｂから流入した暖房用温水との間で熱交換されることによって、暖房用温水が加熱されて、その加熱された暖房用温水が、暖房用水配管接続部２１の往き接続部２１ａに向かって流出する。本実施形態の温調システムでは、室外機１は、給湯用温水および暖房用温水の少なくとも一方を加熱可能である。
【００２９】
また、水ユニット部３は、４つの継手（接続部）２４ａ，２４ｂ，２５ａ，２５ｂを有している。継手２４ａは、給湯用水熱交換器１６Ａと往き接続部２０ａとの間に接続される。継手２４ｂは、給湯用水熱交換器１６Ａと戻り接続部２０ｂとの間に接続される。継手２５ａは、暖房用水熱交換器１６Ｂと往き接続部２１ａとの間に接続される。継手２５ｂは、暖房用水熱交換器１６Ｂと戻り接続部２１ｂとの間に接続される。継手２４ａと往き接続部２０ａとの間の水配管５１、継手２４ｂと戻り接続部２０ｂとの間の水配管５２、継手２５ａと往き接続部２１ａとの間の水配管５３、および継手２５ｂと戻り接続部２１ｂとの間の水配管５４が、水ユニット部３（熱交換器ユニット）から外側に引き回されるとともに、利用側装置４（温水利用装置）からの連絡配管５ａ，５ｂおよび連絡配管７ａ，７ｂが接続される水配管接続部２０，２１まで延在する水配管である。
【００３０】
本実施形態の温調システムでは、利用側装置４は、給湯タンク５と、ガスボイラ６と、床暖房パネル７と、ポンプ８とを有している。ガスボイラ６は、加熱器６ａを有しており、床暖房パネル７と給湯端末９に接続されている。したがって、ガスボイラ６は、給湯タンク５から供給された給湯用温水を給湯端末９に供給される前に加熱したり、室外機１から供給された暖房用温水を床暖房パネル７に供給される前に加熱できる。ポンプ８は、床暖房パネル７から流出した暖房用温水を暖房用水熱交換器１６Ｂに供給し、床暖房パネル７に供給される暖房用温水を循環させるものである。
【００３１】
図３（ａ）は、室外機１を正面から見たときのヒートポンプ部２および水ユニット部３の内部構成を説明する図であり、図３（ｂ）は、室外機１を上方から見たときの水ユニット部３の内部構成を説明する図であり、図３（ｃ）は、室外機１の右側面図である。また、図４（ａ）は、室外機１の正面右側を見たときに冷媒配管および水配管の配置の様子を説明する図であり、図４（ｂ）は、室外機１を右側面から見たときの冷媒配管および水配管の配置の様子を説明する図（図３（ｃ）の拡大図）であり、図４（ｃ）は、室外機１を右側面から見たときの冷媒配管の配置の様子を説明する図である。
【００３２】
なお、給湯用水熱交換器１６Ａおよび暖房用水熱交換器１６Ｂは、断熱材料によって覆われているが、図３では、断熱材料の図示を省略して、給湯用水熱交換器１６Ａおよび暖房用水熱交換器１６Ｂを図示している。また、室外機１の側面には、ヒートポンプ部２の外部に配置され、給湯用水配管接続部２０および暖房用水配管接続部２１を覆うカバー２ａが配置されているが、図３（ｃ）、図４（ｂ）、（ｃ）では図示を省略している。
【００３３】
図３（ａ）に示すように、ヒートポンプ部２は、仕切板３１によって機械室３２と送風室３３とに区画されている。圧縮機１０および２つの膨張弁１２Ａ，１２Ｂは機械室３２に配置され、室外空気熱交換器１１および室外ファン１３は送風室３３に配置されている。ヒートポンプ部２の右側面２Ｒ（機械室３２側の側面）には、上述した３つの冷媒配管接続部２２（第１接続部２２ａ−第３接続部２２ｃ）が取り付けられている。これら３つの冷媒配管接続部２２は、右側面２Ｒ近傍に配置される端子台３５の下方に配置されている。この３つの冷媒配管接続部２２は、右側面２Ｒの下方側（右側面２Ｒの上下方向中央より下方）にある。３つの冷媒配管接続部２２は、下から上に、第１接続部２２ａ、第２接続部２２ｂ、第３接続部２２ｃの順に配置されている。
【００３４】
第１接続部２２ａの内側（ヒートポンプ部２の内部側）の接続口には、圧縮機１０の吐出側から延びた冷媒配管が接続される。また、第２接続部２２ｂおよび第３接続部２２ｃの内側（ヒートポンプ部２の内部側）の接続口には、それぞれ膨張弁１２Ａ，１２Ｂから延びた冷媒配管が接続される。これらの冷媒配管は、機械室３２（ヒートポンプ部２）の内部を引き回されている。
【００３５】
一方、３つの冷媒配管接続部２２の外側（ヒートポンプ部２の外部）の接続口には、水ユニット部３からヒートポンプ部２の外部を引き回された冷媒配管４１−４３がそれぞれ接続される。詳しくは、第１接続部２２ａの外側の接続口には、第１継手２３ａから延びた冷媒配管４１が接続される。第２接続部２２ｂの外側の接続口には、第２継手２３ｂから延びた冷媒配管４２が接続される。第３接続部２２ｃの外側の接続口には、第３継手２３ｃから延びた冷媒配管４３が接続される。これら３つの冷媒配管４１−４３は、水ユニット部３と冷媒配管接続部２２との間において、冷媒配管４１−４３の全てがヒートポンプ部２の外部にある。また、これらの３つの冷媒配管４１−４３は、ヒートポンプ部２の右側面２Ｒの外側において上下方向に沿うように延在している。なお、本実施形態において、上下方向に沿うとは、鉛直方向に沿うものだけを意味するわけでなく、鉛直方向に対して傾斜したものも含む。
【００３６】
給湯用水配管接続部２０および暖房用水配管接続部２１は、ヒートポンプ部２の右側面２Ｒから外側に突出した取付板３４に取り付けられている。この取付板３４は、図３（ｂ）に示すように、平面視において右側面２Ｒに直交するように突出した板状の部材である。給湯用水配管接続部２０および暖房用水配管接続部２１は、給湯用水配管接続部２０の連絡配管接続口および暖房用水配管接続部２１の連絡配管接続口がそれぞれ後方を向くように、取付板３４に取り付けられている。これら給湯用水配管接続部２０および暖房用水配管接続部２１は、右側面２Ｒ近傍に配置される端子台３５の下方に配置されている。また、これら給湯用水配管接続部２０および暖房用水配管接続部２１は、右側面２Ｒの下方側（右側面２Ｒの上下方向中央より下方）にある。
【００３７】
なお、利用側装置（温水利用装置）からの連絡配管は、一般的に地中に埋め込まれるまたは建物の地面近くで配管されるので、水配管接続部が室外機の右側面の上方にある場合、利用側装置（温水利用装置）からの連絡配管を下方に導く必要が生じて、連絡配管の処理が煩雑になる。それに対し、本発明では、上述のように、水配管接続部が室外機の右側面の下方側にあるので、利用側装置（温水利用装置）からの連絡配管を下方に導く必要が生じず、連絡配管の処理が簡単となる。
【００３８】
図１に示すように、給湯用水配管接続部２０の往き接続部２０ａには、継手２４ａから延びた水配管５１が接続され、戻り接続部２０ｂには、継手２４ｂから延びた水配管５２が接続される。また、暖房用水配管接続部２１の往き接続部２１ａには、継手２５ａから延びた水配管５３が接続され、戻り接続部２１ｂには、継手２５ｂから延びた水配管５４が接続される。図４（ｂ）に示すように、これら４つの水配管５１−５４は、水ユニット部３からヒートポンプ部２の外部を引き回されたあと、それぞれ給湯用水配管接続部２０および暖房用水配管接続部２１に接続されている。これら４つの水配管５１−５４は、ヒートポンプ部２の右側面２Ｒの外側において上下方向に沿うように延在している。また、水ユニット部３と給湯用水配管接続部２０との間、および水ユニット部３と暖房用水配管接続部２１との間において、水配管５１−５４の全てがヒートポンプ部２の外部にある。また、図３（ｂ）に示すように、４つの水配管５１−５４は、ヒートポンプ部２の右側面２Ｒに直交する方向に並んで配置される。詳しくは、ヒートポンプ部２に近い方から、水配管５２、水配管５４、水配管５１、水配管５３の順番に配置されている。なお、本実施形態において、上下方向に沿うとは、鉛直方向に沿うものだけを意味するわけでなく、鉛直方向に対して傾斜したものも含む。
【００３９】
図４（ａ）に示すように、冷媒配管４１−４３および水配管５１−５４は、ヒートポンプ部２の外部において並走する並走部分を有しており、並走部分において、冷媒配管４１−４３が水配管５１−５４よりもヒートポンプ部２側に配置されている。したがって、冷媒配管４１―４３と当該冷媒配管４１−４３よりもヒートポンプ部２の外側の外気との間に水配管５１−５４が配置されるので、冷媒配管４１−４３と当該冷媒配管４１−４３よりもヒートポンプ部２の外側の外気との間で熱交換がされにくくなり、冷媒配管４１−４３からの熱損失が低減される。また、水配管５１−５４のそれぞれの径は、冷媒配管４１−４３のそれぞれの径よりも太くされている。したがって、冷媒配管４１−４３と当該冷媒配管４１−４３よりもヒートポンプ部２の外側の外気との間でより熱交換されにくくなり、冷媒配管からの熱損失がより低減されやすい。
【００４０】
ここで、本発明において「並走部分」とは、ヒートポンプ部２の外部において、冷媒配管および水配管の延在方向が略一致しており、かつヒートポンプ部２の水平方向外側（側方）から冷媒配管および水配管を見たときに、冷媒配管および水配管が少なくとも一部において重なっている範囲を指す。例えば、図４（ｂ）に示す冷媒配管４１および水配管５１を例にとると、冷媒配管４１および水配管５１は、その一部において、ともに上下方向に沿って延在しており、かつヒートポンプ部２の右側方から見て冷媒配管４１および水配管５１が重なっている部分（並走部分）を有していることが分かる。なお、冷媒配管４１−４３および水配管５１−５４は、ヒートポンプ部２に取り付けられたカバー２ａの内部に配置されている。
【００４１】
＜本実施形態にかかるヒートポンプ室外機の特徴＞
本実施形態にかかる室外機１には、以下の特徴がある。本実施形態の室外機１では、冷媒配管４１―４３と当該冷媒配管４１−４３よりもヒートポンプ部２（室外機本体）の外側の外気との間に水配管５１−５４が配置されるので、冷媒配管４１−４３と当該冷媒配管４１−４３よりもヒートポンプ部２（室外機本体）の外側の外気との間で熱交換がされにくくなる。したがって、冷媒配管からの熱損失を低減できる。
【００４２】
また、本実施形態にかかる室外機１では、並走部分において、水配管５１−５４の径が冷媒配管４１−４３の径よりも大きいので、冷媒配管４１−４３と当該冷媒配管４１−４３よりもヒートポンプ部２（室外機本体）の外側の外気との間でより熱交換されにくくなる。したがって、冷媒配管からの熱損失をより低減しやすい。
【００４３】
また、本実施形態にかかる室外機１では、水ユニット部３（熱交換器ユニット）からヒートポンプ部２（室外機本体）の外部に引き回された冷媒配管４１−４３が接続される冷媒配管接続部２２を有しており、水配管５１−５４の全て、および水ユニット部３（熱交換器ユニット）と冷媒配管接続部２２の間の冷媒配管４１−４３の全てが、ヒートポンプ部２（室外機本体）の外部にある。そのため、水ユニット部３（熱交換器ユニット）をヒートポンプ部２（室外機本体）から取り外す際に、水ユニット部３（熱交換器ユニット）から延びた冷媒配管４１−４３および水配管５１−５４をそれぞれ冷媒配管接続部２２および水配管接続部２０，２１から取り外せば済み、ヒートポンプ部２（室外機本体）の内部を開けて内部にある冷媒配管や水配管を取り外す必要がない。したがって、熱交換器ユニットを室外機本体から簡単に取り外すことができる。その結果、熱交換器ユニットのメンテナンス性が向上する。
【００４４】
また、本実施形態にかかる室外機１では、冷媒配管４１−４３および水配管５１−５４が、ヒートポンプ部２（室外機本体）の外部において上下方向に沿って並走しているので、並走部分を長くすることができる。
【００４５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４６】
［変形例］
次に、図５を参照しつつ、変形例にかかる温調システムについて説明する。上述の第１実施形態では、４つの水配管５１−５４が、ヒートポンプ部２の右側面２Ｒに直交する方向に並んで配置される場合について説明したが、本変形例の温調システムでは、４つの水配管７１−７４がヒートポンプ室外機の奥行方向に並んで配置される点で上述の第１実施形態と異なる。なお、本実施形態において、上述の第１実施形態と同様の構成を有するものについては、同じ符号を付してその説明を適宜省略する。
【００４７】
このヒートポンプ室外機は、ヒートポンプ部２の右側面２Ｒの外側かつ右側面２Ｒから離れた位置において、ヒートポンプ部２の右側面２Ｒに対向するように配置された板状の取付板６４を有する。そして、この取付板６４に、給湯用水配管接続部６０の往き接続部６０ａおよび戻り接続部６０ｂ、並びに暖房用水配管接続部６１の往き接続部６１ａおよび戻り接続部６１ｂが取り付けられている。給湯用水配管接続部６０および暖房用水配管接続部６１は、給湯用水配管接続部６０の連絡配管接続口および暖房用水配管接続部６１の連絡配管接続口がそれぞれ後方を向くように、取付板６４に取り付けられている。これら給湯用水配管接続部６０および暖房用水配管接続部６１は、右側面２Ｒ近傍に配置される端子台３５の下方に配置されている。また、これら給湯用水配管接続部６０および暖房用水配管接続部６１は、右側面２Ｒの下方側（右側面２Ｒの上下方向中央より下方）にある。
【００４８】
給湯用水配管接続部６０の往き接続部６０ａには、継手２４ａから延びた水配管７１が接続され、戻り接続部６０ｂには、継手２４ｂから延びた水配管７２が接続される。また、暖房用水配管接続部６１の往き接続部６１ａには、継手２５ａから延びた水配管７３が接続され、戻り接続部６１ｂには、継手２５ｂから延びた水配管７４が接続される。図５（ｂ）に示すように、これら４つの水配管７１−７４は、水ユニット部３からヒートポンプ部２の外部を引き回されたあと、それぞれ給湯用水配管接続部６０および暖房用水配管接続部６１に接続されている。これら４つの水配管７１−７４は、ヒートポンプ部２の右側面２Ｒの外側において上下方向に沿うように延在している。また、水ユニット部３と給湯用水配管接続部６０との間、および水ユニット部３と暖房用水配管接続部６１との間において、水配管７１−７４の全てがヒートポンプ部２の外部にある。また、図５（ｂ）に示すように、４つの水配管７１−７４がヒートポンプ室外機の奥行方向に並んで配置される。なお、本変形例において、上下方向に沿うとは、鉛直方向に沿うものだけを意味するわけでなく、鉛直方向に対して傾斜したものも含む。
【００４９】
図５（ｂ）に示すように、冷媒配管４１−４３および水配管７１−７４は、ヒートポンプ部２の外部において並走する並走部分を有しており、並走部分において、冷媒配管４１−４３が水配管７１−７４よりもヒートポンプ部２側に配置されている。したがって、冷媒配管４１―４３と当該冷媒配管４１−４３よりもヒートポンプ部２の外側の外気との間に水配管７１−７４が配置されるので、冷媒配管４１−４３と当該冷媒配管４１−４３よりもヒートポンプ部２の外側の外気との間で熱交換がされにくくなり、冷媒配管４１−４３からの熱損失が低減される。また、水配管７１−７４のそれぞれの径は、冷媒配管４１−４３のそれぞれの径よりも太くされている。したがって、冷媒配管４１−４３と当該冷媒配管４１−４３よりもヒートポンプ部２の外側の外気との間でより熱交換されにくくなり、冷媒配管からの熱損失がより低減されやすい。
【００５０】
ここで、本発明において「並走部分」とは、ヒートポンプ部２の外部において、冷媒配管および水配管の延在方向が略一致しており、かつヒートポンプ部２の水平方向外側（側方）から冷媒配管および水配管を見たときに、冷媒配管および水配管が少なくとも一部において重なっている範囲を指す。例えば、図５（ｂ）に示す冷媒配管４１および水配管７３を例にとると、冷媒配管４１および水配管７３は、その一部において、ともに上下方向に沿って延在しており、かつヒートポンプ部２の右側方から見て冷媒配管４１および水配管７３が重なっている部分（並走部分）を有していることが分かる。なお、冷媒配管４１−４３および水配管７１−７４は、ヒートポンプ部２に取り付けられたカバー２ａの内部に配置されている。
【００５１】
＜変形例にかかるヒートポンプ室外機の特徴＞
変形例にかかるヒートポンプ室外機では、上述の実施形態の室外機１と同様の効果が得られる。
【００５２】
［その他変形例］
上述の実施形態では、３本の冷媒配管４１−４３の全てが、それぞれ水配管５１−５４と並走する並走部分を有しており、それぞれの並走部分において、冷媒配管４１−４３が水配管５１−５４よりもヒートポンプ部２（室外機本体）側に配置される場合について説明したが、それぞれの並走部分のうち、少なくともいずれか１つの冷媒配管が水配管よりもヒートポンプ部２側に配置されてもよい。例えば、冷媒配管のうち冷媒温度が高い冷媒配管（例えば圧縮機の吐出側と水熱交換器１６とを接続する冷媒配管）だけが、水配管よりもヒートポンプ部２側に配置されてもよい。
【００５３】
また、上述の実施形態では、３本の冷媒配管４１−４３の全てが、それぞれ水配管５１−５４と並走する並走部分を有している場合について説明したが、少なくともいずれかの冷媒配管が並走部分を有していればよい。例えば、冷媒配管のうち冷媒温度が高い冷媒配管（例えば圧縮機の吐出側と水熱交換器１６とを接続する冷媒配管）だけが、並走部分を有していてもよい。
【００５４】
また、上述の実施形態では、水ユニット部３（熱交換器ユニット）が、給湯用水熱交換器１６Ａおよび暖房用水熱交換器１６Ｂを有している場合について説明したが、給湯用水熱交換器および暖房用水熱交換器のいずれか一方のみを有していてもよいし、水熱交換器が３つ以上あってもよい。したがって、上述の実施形態では、冷媒配管が３本であるととともに水配管が４本であるが、冷媒配管の本数は２本以下または４本以上であってもよいし、水配管の本数は３本以下または５本以上であってもよい。
【００５５】
また、上述の実施形態では、水ユニット部３（熱交換器ユニット）が、ヒートポンプ部２（室外機本体）の上部に取り付けられている場合について説明したが、これに限られない。例えば水ユニット部３がヒートポンプ部２よりも下方に取り付けられていてもよいし、水ユニット部３がヒートポンプ部２の内部に配置されていてもよい。
【００５６】
また、上述の実施形態では、冷媒配管および水配管が、室外機本体の外部において上下方向に沿って並走している場合について説明したが、これに限られない。例えば、冷媒配管および水配管が、水平方向に沿って並走していてもよいし、その他所定の方向に沿って並走していてもよい。また、冷媒配管および水配管が並走しているのであれば、所定の方向に沿って並走している必要もない。
【００５７】
また、上述の実施形態では、水ユニット部３（熱交換器ユニット）からヒートポンプ部２（室外機本体）の外部に引き回された冷媒配管が接続される冷媒配管接続部２２を有しており、水配管の全て、および、水ユニット部３（熱交換器ユニット）と冷媒配管接続部２２の間の冷媒配管の全てが、ヒートポンプ部２（室外機本体）の外部にある場合について説明したが、冷媒配管および水配管の少なくとも一方がヒートポンプ部２の内部を通過してもよい。また、冷媒配管接続部２２がなくてもよい。
【００５８】
また、上述の実施形態では、並走部分において、水配管の径が冷媒配管の径よりも太い場合について説明したが、水配管の径と冷媒配管の径とが略同じであってもよいし、水配管の径が冷媒配管の径よりも小さくてもよい。
【産業上の利用可能性】
【００５９】
本発明を利用すれば、冷媒配管が室外機本体の外部を引き回されるものにおいて、冷媒配管からの熱損失を低減できる。
【符号の説明】
【００６０】
１  ヒートポンプ室外機（室外機）
２  ヒートポンプ部（室外機本体）
３  水ユニット部（熱交換器ユニット）
４  利用側装置（温水利用装置）
５ａ，５ｂ  連絡配管
７ａ，７ｂ  連絡配管
１０  圧縮機
１１  室外空気熱交換器（空気熱交換器）
１６Ａ  給湯用水熱交換器
１６Ｂ  暖房用水熱交換器
２０  給湯用水配管接続部（水配管接続部）
２１  暖房用水配管接続部（水配管接続部）
４１−４３  冷媒配管
５１−５４  水配管
【図１】
2016085004.tif 000003
【図２】
2016085004.tif 000004
【図３】
2016085004.tif 000005
【図４】
2016085004.tif 000006
【図５】
2016085004.tif 000007